(57)【要約】使用環境に適応して入出力端子を配置する。半導体モジュール（５）は、主基板（３）の表層配線層（３０ａ）に表面実装される。半導体モジュール（５）のモジュール第１辺（２ａ）の側に配置された第１モジュール端子群（１１）と、主基板（３）の基板第１辺（３ａ）の側に配置された第１基板端子群（３０１）とが、表層配線層（３０ａ）に形成された第１表層配線パターン（３１１）により接続され、モジュール第２辺（２ｃ）の側に配置された第２モジュール端子群（１２）と、基板第２辺（３ｃ）の側に配置された第２基板端子群（３０２）とが、表層配線層（３０ａ）に形成された第２表層配線パターン（３１２）により接続される。
2017038904.tif 000002
【特許請求の範囲】
【請求項１】
少なくとも１つの半導体素子を上面に支持固定する矩形板状の支持基板、及び、前記支持基板の下面に沿って平面配置されて前記半導体素子と電気的に接続される複数の接続端子を備えた半導体モジュールと、
複数層の配線層を有し、前記半導体モジュールが複数の前記接続端子を介して表面実装される主基板と、を備え、
複数の前記接続端子は、前記支持基板の各辺に沿って複数列の矩形環状に配列されると共に、画像出力機能及び通信インターフェイス機能の何れか一方の機能を有する端子群である第１モジュール端子群及び第２モジュール端子群とを含み、
前記第１モジュール端子群は、前記支持基板の１つの辺であるモジュール第１辺の側に配置され、
前記第２モジュール端子群は、前記モジュール第１辺の対辺であるモジュール第２辺の側に配置され、
前記主基板は、画像表示装置及び通信装置の何れか一方と接続される第１基板端子群及び第２基板端子群を備え、
前記第１基板端子群は、前記主基板の１つの辺である基板第１辺の側に配置され、
前記第２基板端子群は、前記基板第１辺の対辺である基板第２辺の側に配置され、
前記半導体モジュールは、前記モジュール第１辺が前記モジュール第２辺よりも前記基板第１辺に近い側となり、前記モジュール第２辺が前記モジュール第１辺よりも前記基板第２辺に近い側となるように、前記主基板の表層配線層に表面実装され、
前記第１モジュール端子群と前記第１基板端子群とが、前記表層配線層に形成された第１表層配線パターンにより接続されると共に、前記第２モジュール端子群と前記第２基板端子群とが、前記表層配線層に形成された第２表層配線パターンにより接続される、半導体装置。
【請求項２】
前記半導体素子は、少なくとも１つの半導体ダイが矩形状のパッケージに封入された半導体チップであり、
前記半導体チップは、前記支持基板と電気的に接続される複数の素子端子を有し、
複数の前記素子端子は、画像出力機能及び通信インターフェイス機能の何れか一方の機能を有する端子群である第１素子端子群及び第２素子端子群を含み、
前記第１素子端子群及び前記第２素子端子群は、前記パッケージの同一の辺の側に配置され、
前記半導体モジュールは、少なくとも前記半導体チップが前記支持基板に実装され、少なくとも前記第１素子端子群が前記第１モジュール端子群に接続され、前記第２素子端子群が前記第２モジュール端子群に接続されるように、複数の前記素子端子の配置と複数の前記接続端子の配置とが前記支持基板において並び替えられているマルチチップモジュールである請求項１に記載の半導体装置。
【請求項３】
前記第１モジュール端子群及び前記第２モジュール端子群は、画像出力機能を有するモジュール端子群であり、
前記第１基板端子群及び前記第２基板端子群は、前記画像表示装置に接続される基板端子群であり、
前記主基板は、前記画像表示装置としての第１表示装置を備えた画像表示ユニットに備えられ、
前記第１基板端子群は、前記画像表示ユニット内において、前記第１表示装置と接続され、
前記第２基板端子群は、前記画像表示ユニットに設けられた外部出力端子に接続され、前記画像表示ユニットとは独立して設けられた前記画像表示装置である第２表示装置と前記外部出力端子を介して接続される、請求項１又は２に記載の半導体装置。
【請求項４】
前記第１モジュール端子群及び前記第２モジュール端子群は、画像出力機能を有するモジュール端子群であり、
前記第１基板端子群及び前記第２基板端子群は、前記画像表示装置に接続される基板端子群であり、
前記主基板は、画像表示ユニットに備えられ、
前記第１基板端子群及び前記第２基板端子群の何れか一方は、前記画像表示ユニットに設けられた第１外部出力端子を介して、前記画像表示ユニットとは独立して設けられた前記画像表示装置である第１表示装置と接続され、
前記第１基板端子群及び前記第２基板端子群の何れか他方は、前記画像表示ユニットに設けられた第２外部出力端子を介して、前記画像表示ユニット及び前記第１表示装置とは独立して設けられた前記画像表示装置である第２表示装置と接続され、
前記画像表示ユニットは、前記主基板とは別の基板を少なくとも１つ備え、前記第１基板端子群及び前記第２基板端子群の何れか一方は、当該別の基板を介して前記画像表示装置に接続される、請求項１又は２に記載の半導体装置。
【請求項５】
前記第１表示装置は、車両のダッシュボードに設置されるディスプレイであり、
前記第２表示装置は、前記車両のメーターパネルに設置されるサブディスプレイ、又は、前記ダッシュボードに設置されて車載装置の動作情報を表示するセンターディスプレイである、請求項３又は４に記載の半導体装置。
【請求項６】
前記半導体モジュールは、画像出力機能又は通信インターフェイス機能の何れかの機能を有する端子群であって、前記第１モジュール端子群及び前記第２モジュール端子群と同じ機能を有する端子群である第３モジュール端子群を更に備え、
前記第３モジュール端子群は、前記支持基板における前記モジュール第１辺及び前記モジュール第２辺とは異なるモジュール第３辺の側に配置されている請求項１から５の何れか一項に記載の半導体装置。
【請求項７】
少なくとも１つの半導体素子を上面に支持固定する矩形板状の支持基板、及び、前記支持基板の下面に沿って平面配置されて前記半導体素子と電気的に接続される複数の接続端子を備えた半導体モジュールであって、
前記接続端子は、画像出力機能及び通信インターフェイス機能の何れか一方の機能を有する端子群である第１モジュール端子群及び第２モジュール端子群と、を含み、
前記第１モジュール端子群が、前記支持基板の１つの辺であるモジュール第１辺の側に配置され、前記第２モジュール端子群が、前記モジュール第１辺の対辺であるモジュール第２辺の側に配置されている半導体モジュール。
【請求項８】
前記半導体素子は、少なくとも１つの半導体ダイが矩形状のパッケージに封入された半導体チップであり、
前記半導体チップは、前記支持基板と電気的に接続される複数の素子端子を有し、
複数の前記素子端子は、画像出力機能及び通信インターフェイス機能の何れか一方の機能を有する端子群である第１素子端子群及び第２素子端子群を含み、
前記第１素子端子群及び前記第２素子端子群は、前記パッケージの同一の辺の側に配置され、
当該半導体モジュールは、少なくとも前記半導体チップが前記支持基板に実装され、少なくとも前記第１素子端子群が前記第１モジュール端子群に接続され、前記第２素子端子群が前記第２モジュール端子群に接続されるように、複数の前記素子端子の配置と複数の前記接続端子の配置とが前記支持基板において並び替えられているマルチチップモジュールである請求項７に記載の半導体モジュール。
【発明の詳細な説明】
【技術分野】
【０００１】
本発明は、複数層の配線層及びスルーホールを有する回路基板と半導体モジュールとを備えた半導体装置、及び半導体モジュールに関する。
【背景技術】
【０００２】
特有の機能を有する複数の回路ブロック（メガセル）を単一の半導体素子上に集積した大規模ＬＳＩ（Large Scale Integration Circuit）であるシステムＬＳＩ（ＳＯＣ（System on a Chip）とも称される）や、特有の機能を有する複数の半導体素子をモジュール化したマルチチップモジュール（ＭＣＭ（Multi Chip Module）とも称される）などの半導体モジュールが実用化されている。特開２０１１−９６２６８号公報（特許文献１）には、このような半導体モジュールを実装した回路基板（マザーボード）を構成するに際して、マザーボード上や、半導体モジュールのモジュール基板上における配線設計の容易性を実現する技術が開示されている。特許文献１には、半導体モジュール（マルチチップモジュール）に搭載されるメモリへの電源供給の最適化等を行うことが開示されている。（特許文献１：図８、［００４５］〜［００４７］等）。【０００３】
ところで、このようなマルチチップモジュールには、メモリの他、マイクロコンピュータなどのプロセッサも搭載されている。一般的にマイクロコンピュータなどのシステムＬＳＩにおけるメガセルと、入出力端子とは、半導体素子上での配線距離が短くなるように、近接して配置される。図９は、システムＬＳＩにおける入出力端子の配置例を模式的に示している。図９に示す“ＶＯ１，ＶＯ２”のように、画像出力端子を２系統有する場合には、それら２系統の画像出力端子は近傍に配置される。しかし、これら２系統の画像出力端子は、画像出力信号を利用する装置の配置によっては、別々の方向へ引き出す必要がある場合がある。近年、高画質化等が進み、画像信号も高速化されている。高速な信号に対応しつつ、適切に信号を引き出すためには、複数層の配線層を有するマザーボードなどの回路基板の層数の増加や回路基板の面積の拡大が必要となる場合がある。さらに、長い配線によって放射ノイズが大きくなって他の回路に影響を与えたり、配線が外来ノイズを受けて信号の信頼性が低下したりするおそれもある。このため、半導体モジュール並びに半導体モジュールを搭載した半導体装置は、使用環境も考慮して設計されることが好ましい。
【先行技術文献】
【特許文献】
【０００４】
【特許文献１】特開２０１１−９６２６８号公報
【発明の概要】
【発明が解決しようとする課題】
【０００５】
上記背景に鑑みて、使用環境に適応した入出力端子が配置された半導体モジュールを搭載した半導体装置やそのような半導体モジュールの提供が望まれる。
【課題を解決するための手段】
【０００６】
１つの態様として、半導体装置は、
少なくとも１つの半導体素子を上面に支持固定する矩形板状の支持基板、及び、前記支持基板の下面に沿って平面配置されて前記半導体素子と電気的に接続される複数の接続端子を備えた半導体モジュールと、
複数層の配線層を有し、前記半導体モジュールが複数の前記接続端子を介して表面実装される主基板と、を備え、
複数の前記接続端子は、前記支持基板の各辺に沿って複数列の矩形環状に配列されると共に、画像出力機能及び通信インターフェイス機能の何れか一方の機能を有する端子群である第１モジュール端子群及び第２モジュール端子群とを含み、
前記第１モジュール端子群は、前記支持基板の１つの辺であるモジュール第１辺の側に配置され、
前記第２モジュール端子群は、前記モジュール第１辺の対辺であるモジュール第２辺の側に配置され、
前記主基板は、画像表示装置及び通信装置の何れか一方と接続される第１基板端子群及び第２基板端子群を備え、
前記第１基板端子群は、前記主基板の１つの辺である基板第１辺の側に配置され、
前記第２基板端子群は、前記基板第１辺の対辺である基板第２辺の側に配置され、
前記半導体モジュールは、前記モジュール第１辺が前記モジュール第２辺よりも前記基板第１辺に近い側となり、前記モジュール第２辺が前記モジュール第１辺よりも前記基板第２辺に近い側となるように、前記主基板の表層配線層に表面実装され、
前記第１モジュール端子群と前記第１基板端子群とが、前記表層配線層に形成された第１表層配線パターンにより接続されると共に、前記第２モジュール端子群と前記第２基板端子群とが、前記表層配線層に形成された第２表層配線パターンにより接続される。【０００７】
また、１つの態様として、少なくとも１つの半導体素子を上面に支持固定する矩形板状の支持基板、及び、前記支持基板の下面に沿って平面配置されて前記半導体素子と電気的に接続される複数の接続端子を備えた半導体モジュールは、前記接続端子が、画像出力機能及び通信インターフェイス機能の何れか一方の機能を有する端子群である第１モジュール端子群及び第２モジュール端子群と、を含み、前記第１モジュール端子群が、前記支持基板の１つの辺であるモジュール第１辺の側に配置され、前記第２モジュール端子群が、前記モジュール第１辺の対辺であるモジュール第２辺の側に配置されている。【０００８】
この構成によれば、半導体モジュールにおいて複数種の画像出力機能を有する端子群（或いは、複数種の通信インターフェイス機能を有する端子群）が、当該半導体モジュールが搭載される主基板において各機能に対応する回路（コネクタ等の端子も含む）が配置される位置に応じて、配置されている。このため、主基板に半導体モジュールを搭載する際に、表層配線層に形成される配線パターンを用いて結線を行うことができる。その結果、主基板の内層に形成される配線パターンの数を少なく抑えることができるので、主基板の層数が増加することを抑制することができる。尚、半導体モジュールの単体においても、実装先の回路基板を想定した端子配置とすることで、当該回路基板への実装効率を向上させることができる。このように、上記構成によれば、使用環境に適応した入出力端子が配置された半導体モジュールを搭載した半導体装置やそのような半導体モジュールを提供することができる。【０００９】
半導体装置及び半導体モジュールのさらなる特徴と利点は、図面を参照して説明する半導体モジュール実施形態についての以下の記載から明確となる。
【図面の簡単な説明】
【００１０】
【図１】半導体モジュールと周辺機器との関係を示す模式図
【図２】半導体モジュールの構造を示す模式的な断面図
【図３】半導体モジュールの概略端子配置を示す模式的な透視図
【図４】半導体モジュールの機能別の端子割り当ての一例を模式的に示す説明図
【図５】半導体素子と半導体モジュールの端子との関係を模式的に示す説明図
【図６】半導体モジュールの機能別の端子割り当ての他の例を模式的に示す説明図
【図７】半導体モジュールの機能別の端子割り当ての他の例を模式的に示す説明図
【図８】システムＬＳＩの一例を示す機能ブロック図
【図９】一般的なシステムＬＳＩの機能別の端子割り当ての例を示す説明図
【図１０】半導体モジュール（ＳＯＣ）の構造を示す模式的な断面図
【図１１】半導体モジュール（ＭＣＭ）の構造を示す模式的な断面図
【図１２】半導体モジュール（ＳＩＰ）の構造を示す模式的な断面図
【図１３】ＳＯＣを備えた半導体装置の構造を示す模式的な断面図
【図１４】ＭＣＭを備えた半導体装置の構造を示す模式的な断面図
【図１５】ＳＩＰを備えた半導体装置の構造を示す模式的な断面図
【図１６】支持基板上での端子配置の変換例を示す説明図
【図１７】半導体モジュールの端子配置の一例を示す透視図
【図１８】ナビゲーションユニットの斜視図
【図１９】ナビゲーションユニットの本体部の斜視図
【図２０】ナビゲーションユニットの本体部の別方向からの斜視図
【図２１】ナビゲーションユニットに搭載される主基板の配置図と信号の流れを示す図
【図２２】マルチメディアユニットの斜視図
【図２３】マルチメディアユニットの分解斜視図
【図２４】ナビゲーションユニットの背面図
【図２５】マルチメディアユニットに搭載される主基板の配置図と信号の流れを示す図
【発明を実施するための形態】
【００１１】
以下、単一の半導体素子又は複数の半導体素子を備え、複数の機能が集積された半導体モジュール並びに当該半導体モジュールを備えた半導体装置の実施形態を図面に基づいて説明する。図１に示すように、半導体装置１は、表層（３０ａ、３０ｚ）及び内層（３０ｂ，３０ｃ）に配線層を有した複数層（３０ａ，３０ｂ，３０ｃ，３０ｚ）の回路基板（主基板３）と、主基板３に実装される半導体モジュール５とを備えている。半導体モジュール５は、例えば、不図示の他の回路部品と共に主基板３に実装されて、半導体装置１としてのＥＣＵ（Electronic Control Unit）の中核となる。本実施形態では、ＥＣＵは、車載情報端末の制御装置である。図１に示すように、半導体装置１は、前部座席のコンソール等に設置された前席用モニタ装置７１、後部座席の側に設置された後席用モニタ装置７２、ナビゲーションシステムの地図データベース等が格納されたハードディスク装置７３、ＤＶＤ（Digital Versatile Disk ）プレイヤー７４、後方カメラ７６等に接続され、これらの装置を制御する。
【００１２】
半導体モジュール５は、例えば、図２、及び図１０から図１２に示すように、少なくとも１つの半導体素子５１と、半導体素子５１を上面２１ａに支持固定する支持基板２１とを備えて構成されている。支持基板２１の下面２１ｂには半導体素子５１と電気的に接続される複数の端子１０（接続端子）が、下面２１ｂから突出して平面配置されている。
【００１３】
図２は、単一の半導体素子５１（半導体ダイ５１ｄ）を備えて構成されている半導体モジュール５（システムＬＳＩ（ＳＯＣ（System on a Chip）５Ｃ））の一般的な構造を模式的に示している。図１０は、複数の半導体素子５１（半導体ダイ５１ｄ）が１つのパッケージに封入された半導体モジュール５（システムＬＳＩ５Ｃ）の構造を模式的に示している。半導体ダイ５１ｄは支持基板２１（パッケージ基板）の上面２１ａに支持固定されている。符号“５１Ｃ”は、システムＬＳＩ５Ｃにおける半導体素子５１を示している。尚、半導体モジュール５が、単一の半導体素子５１（半導体ダイ５１ｄ）を備えて構成されている場合でも、特有の機能を有する複数の回路ブロック（メガセル）を単一の半導体素子５１（半導体ダイ５１ｄ）上に集積した大規模ＬＳＩ（Large Scale Integration Circuit）として、システムＬＳＩ５Ｃが構成されてもよい。
【００１４】
図１１は、半導体モジュール５が、マルチチップモジュール５Ｍ（ＭＣＭ（Multi Chip Module））と称されるハイブリッドＩＣとして構成されている形態を例示している。マルチチップモジュール５Ｍは、特有の機能を有する複数の半導体素子５１（符号“５１Ｍ”で示す半導体チップなど）を１つの支持基板２１（モジュール基板）の上に実装したモジュールとして構成されている。図１１では、例えばマイクロコンピュータやＤＳＰ（Digital Signal Processor）などのプロセッサ５１ｂと、メモリ５１ｑなどの周辺チップとが、特有の機能を有する複数の半導体素子５１（５１Ｍ）として支持基板２１に実装されている形態を例示している。図１２は、半導体モジュール５が、ＳＩＰ（System in a Package）５Ｐと称されるハイブリッドＩＣとして構成されている形態を例示している。ＳＩＰ５Ｐとしての半導体モジュール５は、例えば、特有の機能を有する複数の半導体素子５１（符号“５１Ｐ”で示す半導体チップなど）を１つのパッケージ内に集積したハイブリッドＩＣとして構成される。
【００１５】
半導体素子５１は、内部のセル構造などに応じた端子配置を有しているが、当該半導体素子５１を用いて半導体モジュール５を構成する際には、その端子配置を支持基板２１の上で変更することができる。つまり、主基板３に実装された場合に適した端子配置となるように、半導体モジュール５の端子１０の配置を支持基板２１において設定することができる。また、複数の半導体素子５１を支持基板２１に搭載して結線することによって、それらの半導体素子５１の間でのみ接続される端子を、半導体モジュール５の端子１０から削減することができる。端子１０の総数が削減されることによって、より適切に端子１０を配列することができる。例えば、図１１に例示するマルチチップモジュール５Ｍは、プロセッサ５１ｂとメモリ５１ｑとを備えている。多くの場合、プロセッサ５１ｂには、メモリ５１ｑと接続される端子が設けられている。メモリ５１ｑと接続される端子は、アドレスバスやデータバスなどのバス信号を含むため、その本数は多い。プロセッサ５１ｂとメモリ５１ｑとが支持基板２１の上で接続されると、そのようなバス信号の端子を、半導体モジュール５の端子１０から削減することができる。
【００１６】
ところで、半導体ベンダーのウェブページ＜http://japan.renesas.com/applications/automotive/cis/cis_highend/rcar_h2/index.jsp＞［２０１５年８月２５日検索］には、車載情報端末用ＳＯＣの一例が開示されている。図８は、当該車載情報端末用ＳＯＣ（ＳＯＣ５００）の機能構成を示すブロック図を簡略化して転載したものである。図に示すように、このＳＯＣには、画像出力用の機能ブロック（Display Out）が複数（３系統分）設けられている。また、ＳＯＣ５００には、ＵＳＢ（Universal Serial Bus）などの高速通信用インターフェイスの機能ブロック（USB 2.0 Host, USB 3.0 Host）も複数（合計４系統分）設けられている。
【００１７】
一般的には、システムＬＳＩにおけるメガセルと、入出力端子とは、半導体素子上での配線距離が短くなるように、近接して配置される。図９は、システムＬＳＩにおける入出力端子の配置例を模式的に示している。図９に示すように、画像出力端子（ＶＯ１，ＶＯ２）を２系統有する場合には、それら２系統の出力端子は近傍に配置される。同様に、高速通信用インターフェイス（ＦＴ１，ＦＴ２）の入出力端子を２系統有する場合にも、それら２系統の入出力端子は近傍に配置される。
【００１８】
しかし、図８のブロック図を参照すると、例えば車載用途において、画像出力端子は、前部座席のコンソール等に設置された前席用モニタ装置（Front Monitor）と、後部座席の側に設置された後席用モニタ装置（Rear Monitor）とに接続される。ＳＯＣ５００を搭載するＥＣＵ（Electronic Control Unit）は、車両の中央部、例えば前部座席と後部座席との中間に設置されることも多い。図９に例示したように、２系統の画像出力端子が一箇所に設けられていると、前席用モニタ装置及び後席用モニタ装置の何れかと、ＳＯＣ５００との配線距離が長くなる可能性がある。また、ＥＣＵの配線基板上において、何れか一方のモニタ装置への配線が長く引き回されるので、ＥＣＵの配線基板が大型化する可能性がある。さらに、長い配線によって放射ノイズが大きくなって他の回路に影響を与えたり、配線が外来ノイズを受けて信号の信頼性が低下したりする可能性もある。このため、ＳＯＣ５００のような半導体モジュールは、当該半導体モジュールの使用環境も考慮した設計がなされることが好ましい。
【００１９】
図１３から図１５は、図１０から図１２に例示した半導体モジュール５を主基板３に搭載して構成された半導体装置１の構成例を示している。図１３は、半導体モジュール５としてのシステムＬＳＩ５Ｃが、主基板３に表面実装されて半導体装置１（１Ｃ）が構成されている形態を模式的に示している。図１４は、半導体モジュール５としてのマルチチップモジュール５Ｍが、主基板３に表面実装されて半導体装置１（１Ｍ）が構成されている形態を模式的に示している。図１５は、半導体モジュール５としてのＳＩＰ５Ｐが、主基板３に表面実装されて半導体装置１（１Ｐ）が構成されている形態を模式的に示している。
【００２０】
本実施形態では、図２に示すように、半導体モジュール５が、単一の半導体素子５１を備えて構成されている形態を例示する。半導体素子５１は、特有の機能を有する複数の回路ブロック（メガセル）を単一の半導体素子上に集積したシステムＬＳＩ（ＳＯＣ（System on a Chip）とも称される）である。半導体モジュール５は、支持基板２１、ボンディングワイヤー２５、電極パターン２６、モールド部２２を備えている。半導体素子５１は、支持基板２１の一方側の面である上面２１ａ（実装面）に実装されている。上面２１ａには、半導体素子５１に形成された各電極パッド（不図示）に対応する電極パターン２６が形成されている。各電極パッドと各電極パターン２６とは、ボンディングワイヤー２５によって配線される。電極パターン２６は、スルーホール２７を介して、上面２１ａに対して裏面側の下面２１ｂ（端子面）と導通される。下面２１ｂには、各電極パターン２６と導通するように、半導体モジュール５の端子１０（接続端子）となる球状バンプが形成されている。
【００２１】
半導体素子５１及びボンディングワイヤー２５は、例えば樹脂材料によってモールドされる。図２に示す半導体モジュール５において、支持基板２１及びモールド部２２は、半導体素子５１を収容するパッケージ２に相当する。上述したように、パッケージ２の下面２ｒには、ボール状の端子（球状バンプ）を突出させて端子１０が形成されており、ＢＧＡ（Ball Grid Array）タイプの半導体モジュール５が形成されている。尚、図１０から図１２に例示された半導体モジュール５（５Ｃ，５Ｍ，５Ｐ）も、ＢＧＡタイプの半導体モジュール５である。
【００２２】
図３は、半導体モジュール５を上面２１ａ（支持基板２１の実装面）の側から見た下面２１ｂ（端子面、パッケージ２の下面２ｒ）の透視図を模式的に示している。図３において、破線の丸は端子１０を示しているが、端子１０の数や大きさ、端子１０の間隔等については、模式的なものである。本実施形態では、端子１０は、パッケージ２の中央部に矩形状に配列された内周側端子群１５と、パッケージ２の外周部に沿って矩形環状に複数列（ここでは３列）配列された外周側端子群１７とを含む。内周側端子群１５は、主に半導体素子５１の電源電極パッドと接続される端子１０が割り当てられている。
【００２３】
ところで、内周側端子群１５は、中心部分にも端子１０が存在して、中央部に隙間を有していない。しかし、図３において３６本の端子１０を有する内周側端子群１５は、中央部の４本の端子１０、最も外周の２０本の端子１０、その間の１２本の端子が、それぞれ矩形環状に並んで（３周分の矩形状の環が並んで）配列されているということができる。従って、図３に例示する内周側端子群１５のように端子１０が密に敷き詰められた状態であっても、端子１０は矩形環状に配列されているということができる。
【００２４】
内周側端子群１５は、半導体素子５１のほぼ直下に（支持基板２１の板面に直交する方向（支持基板直交方向）に見て半導体素子５１と少なくとも一部が重複する位置に）配置されている。尚、半導体モジュール５が主基板３に実装された状態で、主基板３の基板面に直交する方向（主基板直交方向）は、部品公差や実装誤差を無視すれば、ほぼ支持基板直交方向と同義である。従って、特に断らない限り、本明細書及び図面において、主基板直交方向と支持基板直交方向とは、共通する方向として扱う。
【００２５】
内周側端子群１５が半導体素子５１のほぼ直下に配置され、内周側端子群１５に電源端子が割り当てられることによって、電気抵抗やインダクタンスの影響ができるだけ小さくなる状態で半導体素子５１に電力を供給することができる。尚、図１０〜図１２に例示するように、半導体モジュール５が複数の半導体素子５１を有している場合には、内周側端子群１５を介して電力を供給される対象の半導体素子５１（対象半導体素子）の直下に、内周側端子群１５が配置される。外周側端子群１７の端子１０には、車載情報端末（モニター装置やカメラ、ディスク装置など）と接続される信号端子が割り当てられている。
【００２６】
図１に示すように、半導体装置１に搭載された半導体モジュール５は、前席用モニタ装置７１、後席用モニタ装置７２、ハードディスク装置７３、ＤＶＤプレイヤー７４、後方カメラ７６等に接続される。本実施形態において、前席用モニタ装置７１は、図４等を参照して後述する第１画像出力端子群３１（ＶＯ１）と、後述する第１表層配線パターン３１１及び第１基板端子群３０１を介して接続され、後席用モニタ装置７２は、第２画像出力端子群３２（ＶＯ２）と、後述する第２表層配線パターン３１２及び第２基板端子群３０２を介して接続される。ハードディスク装置７３は、第１高速通信インターフェイス（ＩＦ）端子群３３（ＦＴ１）と接続され、ＤＶＤプレイヤー７４は、第２高速通信インターフェイス（ＩＦ）端子群３４（ＦＴ２）と第１表層配線パターン３１１及び第１基板端子群３０１を介して接続される。また、後方カメラ７６は、画像入力端子群３９（ＶＩ）と接続される。
【００２７】
ところで、２系統の画像出力端子群、即ち、第１画像出力端子群３１（ＶＯ１）及び第２画像出力端子群３２（ＶＯ２）が、図９に例示したように一箇所に設けられていると、前席用モニタ装置７１及び後席用モニタ装置７２の何れかと、半導体モジュール５との配線距離が長くなる可能性がある。同様に、２系統の高速通信インターフェイス端子群、即ち、第１高速通信インターフェイス端子群３３（ＦＴ１）及び第２高速通信インターフェイス端子群３４（ＦＴ２）が、図９に例示したように一箇所に設けられていると、ハードディスク装置７３及びＤＶＤプレイヤー７４の何れかと、半導体モジュール５との配線距離が長くなる可能性がある。また、半導体装置１の主基板３において、何れか一方の装置への配線を長く引き回す必要が生じるので、半導体装置１の主基板３が大型化する可能性がある。さらに、長い配線によって放射ノイズが大きくなって他の回路に影響を与えたり、配線が外来ノイズを受けて信号の信頼性が低下したりする可能性もある。
【００２８】
そこで、本実施形態では、図４に示すように、第１画像出力端子群３１（ＶＯ１）が支持基板２１のモジュール第１辺２ａの側に配置され、第２画像出力端子群３２（ＶＯ２）がモジュール第１辺２ａの対辺であるモジュール第２辺２ｃの側に配置されている。即ち、図１及び図４に示すように、第１画像出力端子群３１（ＶＯ１）は前席用モニタ装置７１の側となるように、第２画像出力端子群３２（ＶＯ２）は後席用モニタ装置７２の側となるように配置されている。これによって、前席用モニタ装置７１及び後席用モニタ装置７２の双方と、半導体モジュール５との配線距離を適切な長さとすることができる。尚、図４以下において端子１０の割り当てを例示する図も、図３と同様に半導体モジュール５を上面２１ａ（支持基板２１の実装面）の側から見た透視図である。
【００２９】
第１画像出力端子群３１（ＶＯ１）及び第２画像出力端子群３２（ＶＯ２）は、例えば、ＨＤＭＩ（登録商標）（High-Definition Multimedia Interface）規格や、ＬＶＤＳ（Low Voltage Differential Signaling）規格に準拠した端子群である。第１画像出力端子群３１（ＶＯ１）と、第２画像出力端子群３２（ＶＯ２）とは、準拠する規格が同じであっても良いし、異なっていても良い。
【００３０】
本実施形態では、さらに、図４に示すように、第１高速通信インターフェイス端子群３３（ＦＴ１）がモジュール第１辺２ａの側に配置され、第２高速通信インターフェイス端子群３４（ＦＴ２）がモジュール第１辺２ａの対辺であるモジュール第２辺２ｃの側に配置されている。即ち、図１及び図４に示すように、第１高速通信インターフェイス端子群３３（ＦＴ１）はハードディスク装置７３の側となるように、第２高速通信インターフェイス端子群３４（ＦＴ２）はＤＶＤプレイヤー７４の側となるように配置されている。これによって、ハードディスク装置７３及びＤＶＤプレイヤー７４の双方と、半導体モジュール５との配線距離を適切な長さとすることができる。
【００３１】
第１高速通信インターフェイス端子群３３（ＦＴ１）及び第２高速通信インターフェイス端子群３４（ＦＴ２）は、例えば、ＳＡＴＡ（Serial AT Attachment）、ＰＣＩｅ（Peripheral Component Interconnect Express）、ＵＳＢ（Universal Serial Bus）２．０、同３．０、等の規格に準拠した端子群である。画像出力端子群と同様に、第１高速通信インターフェイス端子群３３（ＦＴ１）及び第２高速通信インターフェイス端子群３４（ＦＴ２）も、準拠する規格が同じであっても良いし、異なっていても良い。
【００３２】
尚、本実施形態では、画像入力端子群３９（ＶＩ）もモジュール第２辺２ｃの側に配置されており、車両の後方に配置されている後方カメラ７６と、半導体モジュール５との配線距離を適切な長さとすることができる。図４において、カードインターフェイス（ＩＦ）端子群３６（ＣＲＤ）は、ＳＤメモリーカード、マルチメディアカード（ＭＭＣ）などのメモリーカードのリーダー／ライターと接続される端子群である。近年、このようなメモリーカードのリーダー／ライターは、前部座席のコンソールに設置される場合がある。このため、本実施形態では、カードインターフェイス端子群３６（ＣＲＤ）は、モジュール第１辺２ａの側に配置されている。
【００３３】
ワイヤレス通信インターフェイス（ＩＦ）端子群３８（ＷＬＴ）は、ＷｉＦｉやイーサネット（登録商標）ＡＶＢ（Audio/Video Bridging）に対応する通信機器（ルーター等）に接続される端子群である。送受信環境を考慮すると、通信機器はフロントガラスの近傍等に配置されることが好ましく、本実施形態では、ワイヤレス通信インターフェイス端子群３８（ＷＬＴ）は、モジュール第１辺２ａの側に配置されている。
【００３４】
そのほかの端子群、例えば、中低速通信インターフェイス（ＩＦ）端子群３７（ＳＭＴ）や、オーディオインターフェイス（ＩＦ）端子群４１（ＡＵ）は、上述した端子群よりも優先順位は低下するが、それぞれ、接続対象の機器との配線を考慮して適切な位置に配置されている。
【００３５】
ところで、半導体素子５１の中において、第１画像出力端子群３１（ＶＯ１）に対応する機能を実現する信号処理を行う信号処理部と、第２画像出力端子群３２（ＶＯ２）に対応する機能を実現する信号処理を行う信号処理部とは、回路構成が共通する部分も多い。同様に、半導体素子５１の中において、第１高速通信インターフェイス端子群３３（ＦＴ１）に対応する機能を実現する信号処理を行う信号処理部と、第２高速通信インターフェイス端子群３４（ＦＴ２）に対応する機能を実現する信号処理を行う信号処理部とも、回路構成が共通する部分は多い。従って、半導体素子５１の中においては、同一の機能（類似の機能）を有する信号処理部や、当該信号処理部へ電源を供給する電源部（電源供給部）が近接していると好適である。
【００３６】
図５は、画像出力端子群（３１，３２）及び高速通信インターフェイス端子群（３３，３４）に関する信号処理部（５３，５４，５５，５６）及び電源部（５７，５８）と、端子群（３１，３２，３３，３４）との関係を模式的に示している。第１画像出力処理部５３（Ｂ−ＶＯ１）は、第１画像出力端子群３１（ＶＯ１）に対応する機能を実現する信号処理を行う信号処理部であり、第２画像出力処理部５４（Ｂ−ＶＯ２）は、第２画像出力端子群３２（ＶＯ２）に対応する機能を実現する信号処理を行う信号処理部である。また、第１高速通信処理部５５（Ｂ−ＦＴ１）は、第１高速通信インターフェイス端子群３３（ＦＴ１）に対応する機能を実現する信号処理を行う信号処理部であり、第２高速通信処理部５６（Ｂ−ＦＴ２）は、第２高速通信インターフェイス端子群３４（ＦＴ２）に対応する機能を実現する信号処理を行う信号処理部である。画像出力電源部５７（ＰＷ−ＶＯ）は、第１画像出力処理部５３（Ｂ−ＶＯ１）及び第２画像出力処理部５４（Ｂ−ＶＯ２）に共通の動作電源を供給する電源供給部であり、高速通信電源部５８（ＰＷ−ＦＴ）は、第１高速通信処理部５５（Ｂ−ＦＴ１）及び第２高速通信処理部５６（Ｂ−ＦＴ２）に共通の動作電源を供給する電源供給部である。
【００３７】
第１画像出力処理部５３（Ｂ−ＶＯ１）、第２画像出力処理部５４（Ｂ−ＶＯ２）、画像出力電源部５７（ＰＷ−ＶＯ）は、半導体素子５１の中において、連続する領域内に近接して配置されている。同様に、第１高速通信処理部５５（Ｂ−ＦＴ１）、第２高速通信処理部５６（Ｂ−ＦＴ２）、高速通信電源部５８（ＰＷ−ＦＴ）も、半導体素子５１の中において、連続する領域内に近接して配置されている。
【００３８】
第１画像出力処理部５３（Ｂ−ＶＯ１）は、半導体素子５１上において第１画像出力電極群８１（電極パッド群）（Ｅ−ＶＯ１）と電気的に接続され、第１画像出力電極群８１（Ｅ−ＶＯ１）と第１画像出力端子群３１（ＶＯ１）の裏面側の電極パターン２６とが、パッケージ２内において例えばボンディングワイヤー２５によって電気的に接続される。また、第２画像出力処理部５４（Ｂ−ＶＯ２）は、半導体素子５１上において第２画像出力電極群８２（電極パッド群）（Ｅ−ＶＯ２）と電気的に接続され、第２画像出力電極群８２（Ｅ−ＶＯ２）と第２画像出力端子群３２（ＶＯ２）の裏面側の電極パターン２６とが、パッケージ２内において例えばボンディングワイヤー２５によって電気的に接続される。本実施形態では、第２画像出力処理部５４（Ｂ−ＶＯ２）と第２画像出力電極群８２（Ｅ−ＶＯ２）とは近接しているが、第１画像出力処理部５３（Ｂ−ＶＯ１）と第１画像出力電極群８１（Ｅ−ＶＯ１）とは離間している。従って、第１画像出力処理部５３（Ｂ−ＶＯ１）と第１画像出力電極群８１（Ｅ−ＶＯ１）とは半導体素子５１の中央部に形成されている他の機能の回路の中を通って電気的に接続されている。
【００３９】
同様に、第１高速通信処理部５５（Ｂ−ＦＴ１）は、半導体素子５１上において第１高速通信電極群８３（電極パッド群）（Ｅ−ＦＴ１）と電気的に接続され、第１高速通信電極群８３（Ｅ−ＦＴ１）と第１高速通信インターフェイス端子群３３（ＦＴ１）の裏面側の電極パターン２６とが、パッケージ２内において例えばボンディングワイヤー２５によって電気的に接続される。また、第２高速通信処理部５６（Ｂ−ＦＴ２）は、半導体素子５１上において第２高速通信電極群８４（電極パッド群）（Ｅ−ＦＴ２）と電気的に接続され、第２高速通信電極群８４（Ｅ−ＦＴ２）と第２高速通信インターフェイス端子群３４（ＦＴ２）の裏面側の電極パターン２６とが、パッケージ２内において例えばボンディングワイヤー２５によって電気的に接続される。本実施形態では、第２高速通信処理部５６（Ｂ−ＦＴ２）と第２高速通信電極群８４（Ｅ−ＦＴ２）とは近接しているが、第１高速通信処理部５５（Ｂ−ＦＴ１）と第１高速通信電極群８３（Ｅ−ＶＯ１）とは離間している。従って、第１高速通信処理部５５（Ｂ−ＦＴ１）と第１高速通信電極群８３（Ｅ−ＦＴ１）とは半導体素子５１の中央部に形成されている他の機能の回路の中を通って電気的に接続されている。
【００４０】
尚、図２を参照して上述したように、半導体モジュール５は、支持基板２１の実装面（上面２１ａ）に半導体素子５１を実装し、上面２１ａの裏面側である下面２１ｂに端子１０が形成されて構成されている。つまり、半導体素子５１と端子１０とは、支持基板２１に形成された配線（スルーホール２７等を含む）を介して接続されている。図５では、半導体素子５１の中で電極パッド群を別の領域に配置し、互いに近接する各電極パッド群と各端子群（電極パターン２６）とをボンディングワイヤー２５で接続する形態を例示した。しかし、各電極パッド群と各端子群とが近接していなくとも、支持基板２１上の配線によって、端子群を異なる領域（対辺同士）に配置することができる。
【００４１】
例えば、図５において、第２画像出力電極群８２（Ｅ−ＶＯ２）の対辺に配置されている第１画像出力電極群８１（Ｅ−ＶＯ１）が、第２画像出力電極群８２（電極パッド群）に隣接して配置されてもよい。この場合、第１画像出力電極群８１（Ｅ−ＶＯ１）の近傍において、第１画像出力電極群８１（Ｅ−ＶＯ１）と支持基板２１の上面２１ａに設けられた電極パターン２６とがボンディングワイヤー２５によって接続される。この電極パターン２６は、第１画像出力端子群３１（ＶＯ１）と同じ側の辺ではない位置に設けられている。従って、この電極パターン２６と、第１画像出力端子群３１（ＶＯ１）の裏面との間には、支持基板２１（上面２１ａ或いは内層の配線層）を通る配線パターンが設けられる。
【００４２】
何れの形態を適用しても、同一の機能（類似の機能）を有する信号処理部は、共通の電源供給部から共通の動作電源を供給されるので、端子１０を分割配置したことにより、半導体素子５１の回路規模が増大することは抑制される。
【００４３】
以上説明したように、半導体モジュール５は、複数の端子１０を有する矩形状の１つのパッケージ２と、画像出力機能及び通信インターフェイス機能のいずれか一方の機能を有する端子群である第１モジュール端子群１１及び第２モジュール端子群１２と、を有する。上記の説明において、第１画像出力端子群３１（ＶＯ１）及び第１高速通信インターフェイス端子群３３（ＦＴ１）が、第１モジュール端子群１１に相当する。また、上記の説明において、第２画像出力端子群３２（ＶＯ２）及び第２高速通信インターフェイス端子群３４（ＦＴ２）が、第２モジュール端子群１２に相当する。上述したように、第１モジュール端子群１１（３１，３３）は、モジュール第１辺２ａの側に配置され、第２モジュール端子群１２（３２，３４）は、モジュール第１辺２ａの対辺であるモジュール第２辺２ｃの側に配置されている。
【００４４】
尚、上記の説明においては、画像出力機能を有する端子群、及び通信インターフェイス機能を有する端子群の双方が、第１モジュール端子群１１及び第２モジュール端子群１２を有する態様を例示したが、何れか一方の機能を有する端子群を複数組有していればよい。つまり、画像出力機能を有する端子群として、第１モジュール端子群１１及び第２モジュール端子群１２を有している態様であっても良いし、通信インターフェイス機能を有する端子群として、第１モジュール端子群１１及び第２モジュール端子群１２を有している態様であっても良い。
【００４５】
また、半導体モジュール５は、第１モジュール端子群１１に対応する機能を実現する信号処理を行う第１信号処理部６１と、第２モジュール端子群１２に対応する機能を実現する信号処理を行う第２信号処理部６２と、第１信号処理部６１及び第２信号処理部６２に共通の動作電源を供給する電源供給部６３と、を有する。上記の説明において、第１画像出力処理部５３（Ｂ−ＶＯ１）及び第１高速通信処理部５５（Ｂ−ＦＴ１）が、第１信号処理部６１に相当し、第２画像出力処理部５４（Ｂ−ＶＯ２）及び第２高速通信処理部５６（Ｂ−ＦＴ２）が、第２信号処理部６２に相当する。また、画像出力電源部５７（ＰＷ−ＶＯ）及び高速通信電源部５８（ＰＷ−ＦＴ）が、電源供給部６３に相当する。
【００４６】
ところで、上記の説明においては、同一の（類似の）機能を有する端子群として、第１モジュール端子群１１と、第２モジュール端子群１２とを有する態様を例示した。しかし、端子群は２つに限らず、３以上設けられていてもよい。図６は、半導体モジュール５が、第１モジュール端子群１１及び第２モジュール端子群１２に加えて、第３モジュール端子群１３を有する態様を例示している。第３モジュール端子群１３は、画像出力機能又は通信インターフェイス機能の何れかの機能を有する端子群であって、第１モジュール端子群１１及び第２モジュール端子群１２と同じ機能（類似の機能）を有する端子群である。半導体モジュール５と接続される周辺機器と、半導体モジュール５との配置を考慮すると、第３モジュール端子群１３は、モジュール第１辺２ａ及びモジュール第２辺２ｃとは異なるモジュール第３辺（“２ｂ”或いは“２ｄ”）の側に配置されていると好適である。矩形状の支持基板２１の４辺の内の３辺に、同等の機能（類似の機能）を有する端子群が分配して配置されるので、半導体モジュール５に接続される周辺機器と、半導体モジュール５との配置の自由度が高くなる。また、半導体モジュール５と各周辺機器との配線効率も向上する。
【００４７】
図６では、高速通信インターフェイス機能を有する第３モジュール端子群１３として、第３高速通信インターフェイス（ＩＦ）端子群３５（ＦＴ３）を有する態様を例示している。図６では、第３高速通信インターフェイス端子群３５が、符号“２ｄ”で示される辺の側に配置されており、当該辺“２ｄ”がモジュール第３辺となる。当然ながら、第３高速通信インターフェイス端子群３５（ＦＴ３）は、符号“２ｂ”で示される辺の側に配置されていてもよい。この場合には、当該辺“２ｂ”がモジュール第３辺となる。
【００４８】
また、図４及び図６等を参照して上述した態様においては、第１モジュール端子群１１がモジュール第１辺２ａに沿って並んで配置され、第２モジュール端子群１２がモジュール第２辺２ｃに沿って並んで配置されている態様を例示した。このように互いに対辺となる辺に沿って端子群が並んで配置されていると、半導体モジュール５を挟んで、接続先の装置が配置される場合に効率のよい配線が実現できる。しかし、第１モジュール端子群１１は相対的にモジュール第１辺２ａの側に配置されていれば良く、第２モジュール端子群１２は相対的にモジュール第２辺２ｃの側に配置されていれば良い。このように配置であっても、配線効率の向上には効果がある。
【００４９】
即ち、図７における第１高速通信インターフェイス端子群３３（ＦＴ１）のように、モジュール第１辺２ａに対して直交する方向に並び、モジュール第１辺２ａとモジュール第２辺２ｃとの間の辺“２ｄ”に沿って配置されていても、第２高速通信インターフェイス端子群３４（ＦＴ２）に対して相対的にモジュール第１辺２ａの側に配置されていれば良い。同様に、図７における第２高速通信インターフェイス端子群３４（ＦＴ２）のように、モジュール第２辺２ｃに対して直交する方向に並び、モジュール第２辺２ｃとモジュール第１辺２ａとの間の辺“２ｄ”に沿って配置されていても、第１高速通信インターフェイス端子群３３（ＦＴ１）に対して相対的にモジュール第２辺２ｃの側に配置されていれば良い。より好ましくは、図７に示すように、第１高速通信インターフェイス端子群３３（ＦＴ１）の内の少なくとも一部の端子１０がモジュール第１辺２ａに沿って配置されていると良い。同様に、第２高速通信インターフェイス端子群３４（ＦＴ２）の内の少なくとも一部の端子１０がモジュール第２辺２ｃに沿って配置されていると良い。
【００５０】
上述したように、半導体素子５１は、半導体素子５１に応じた端子配置を有しているが、その端子配置は支持基板２１において変更することができる。つまり、主基板３に実装された場合に適した端子配置となるように、半導体モジュール５の端子１０の配置を支持基板２１において設定することができる。また、複数の半導体素子５１を支持基板２１の上で接続することによって、それらの半導体素子５１の間でのみ接続される端子を、半導体モジュール５の端子１０から削減することができる。端子１０の総数が削減されることによって、より適切に端子１０を配列することができる。図１６は、図１１に例示するマルチチップモジュール５Ｍのように、プロセッサ５１ｂとメモリ５１ｑとを備えている場合の、プロセッサ５１ｂ（半導体チップ）の端子配置と、マルチチップモジュール５Ｍの端子配置との関係を例示している。
【００５１】
図１６において、プロセッサ５１ｂの各端子群（複数の素子端子）は以下に対応する。ＭＥＭ１及びＭＥＭ２はメモリ５１ｑと接続される端子群、ＶＯ１、ＶＯ２、ＶＯ３、ＶＯ４は、画像出力端子群、ＦＴ１、ＦＴ２、ＦＴ３、ＦＴ４は高速通信インターフェイス端子群、ＶＩは画像入力端子群を示している。プロセッサ５１ｂでは、４種類の画像出力端子群はチップの同じ側に配置されており、同様に４種類の高速通信インターフェイス端子群もチップの同じ側に配置されている。
【００５２】
ここで、ＶＯ１、ＶＯ２、ＶＯ３、ＶＯ４、ＦＴ１、ＦＴ２、ＦＴ３、ＦＴ４は、画像出力機能及び通信インターフェイス機能の何れか一方の機能を有する端子群（複数の素子端子）である第１素子端子群及び第２素子端子群に対応する。具体的には、第１素子端子群及び第２素子端子群が画像出力機能を有する端子群である場合、第１素子端子群は、ＶＯ１、ＶＯ２、ＶＯ３、ＶＯ４の何れか１つから３つに対応し、第２素子端子群は、ＶＯ１、ＶＯ２、ＶＯ３、ＶＯ４の内、第１素子端子群に対応しない何れか１つ又は３つに対応する。同様に、第１素子端子群及び第２素子端子群が通信インターフェイス機能を有する端子群である場合、第１素子端子群は、ＦＴ１、ＦＴ２、ＦＴ３、ＦＴ４の何れか１つから３つに対応し、第２素子端子群は、ＦＴ１、ＦＴ２、ＦＴ３、ＦＴ４の内、第１素子端子群に対応しない何れか１つ又は３つに対応する。
【００５３】
そして、第１素子端子群及び第２素子端子群は、パッケージの同一の辺の側に配置されている。具体的には、第１素子端子群及び第２素子端子群が画像出力機能を有する端子群である場合には、符号“５０ｂ”で示される辺の側に、画像出力機能を有する端子群ＶＯ１、ＶＯ２、ＶＯ３、ＶＯ４の全てが配置されている。また、第１素子端子群及び第２素子端子群が通信インターフェイス機能を有する端子群である場合には、符号“５０ｄ”で示される辺の側に、通信インターフェイス機能を有する端子群ＦＴ１、ＦＴ２、ＦＴ３、ＦＴ４の全てが配置されている。
【００５４】
上述したように、半導体モジュール５は、少なくともプロセッサ５１ｂ（半導体チップ）が支持基板２１に実装されたマルチチップモジュール５Ｍである。そして、マルチチップモジュール５Ｍでは、複数の素子端子の配置と複数の端子１０（接続端子）の配置とが支持基板２１において並び替えられている。図１６では、少なくとも第１素子端子群（プロセッサ５１ｂのＶＯ１）が第１モジュール端子群（第１画像出力端子群３１（ＶＯ１）、）に接続され、第２素子端子群（プロセッサ５１ｂのＶＯ２，ＶＯ３，ＶＯ４）が第２モジュール端子群（第２画像出力端子群３２（３２ａ，３２ｂ，３２ｃ）（ＶＯ２））に接続されるように並び替えられている形態を例示している。プロセッサ５１ｂでは、画像出力機能を有する端子群ＶＯ１、ＶＯ２、ＶＯ３、ＶＯ４の全てが符号“５０ｂ”で示される辺の側に配置されているが、マルチチップモジュール５Ｍでは、ＶＯ１がモジュール第１辺２ａの側に配置され、ＶＯ２、ＶＯ３、ＶＯ３がモジュール第１辺２ａの対辺のモジュール第２辺２ｃの側に配置されている。尚、高速通信インターフェイス機能を有する端子群も、対辺の関係ではないが、半導体モジュールの異なる辺の側に分散して配置されている。
【００５５】
このように、半導体モジュール５では、４種類の画像出力端子群はチップの異なる辺の側に分散して配置され、４種類の高速通信インターフェイス端子群も分散して配置されている。プロセッサ５１ｂのＭＥＭ１及びＭＥＭ２は、半導体モジュール５の支持基板２１上において、メモリ５１ｑと接続されるので、ＭＥＭ１及びＭＥＭ２は半導体モジュール５の端子群から除外することができる。従って、半導体モジュール５における端子配置の自由度が向上する。尚、図１７は、図１６の半導体モジュール５に対応する端子配置を模式的に示している。図１７では、半導体モジュール５を上面（支持基板２１の上面２１ａ）の側から見た下面（支持基板２１の下面２１ｂ）の透視図の形態で端子配置を例示している。
【００５６】
図１８から図２１は、半導体装置１が搭載されるナビゲーションユニット７０（画像表示ユニット）を示している。このナビゲーションユニット７０は、前席用モニタ装置７１を備えた、いわゆるディスプレイ一体型のユニットであり、例えば、車両のダッシュボードの中央（コンソール）に収容される。前席用モニタ装置７１は、車両のダッシュボードに設置される第１表示装置に相当し、その表示面が車両の前後方向ＦＲにおいて後方Ｒを向くように設置されている。つまり、ナビゲーションユニット７０は、車室内において乗員よりも前方Ｆの側のダッシュボードの中央に収容され、乗員が前席用モニタ装置７１を見ることができるように設置されている。ナビゲーションユニット７０は、前席用モニタ装置７１及びカードスロット７０１を有するディスプレイ部７０ａ、及び、図２１に示す半導体装置１を収容する本体部７０ｂを備えている。ディスプレイ部７０ａと本体部７０ｂとは、それぞれ異なる筐体を有して構成されており、金具等を用いて機械的に結合される。ディスプレイ部７０ａと本体部７０ｂとは、電気的には後述するディスプレイ用コネクタ７０２を介して接続される。ナビゲーションユニット７０がダッシュボードに設置された状態において、ディスプレイ部７０ａは本体部７０ｂに対して、後方Ｒの側に位置するように配置されている。
【００５７】
図１９に示すように、本体部７０ｂには、ディスプレイ部７０ａと半導体装置１とを接続するディスプレイ用コネクタ７０２が本体部７０ｂから突出するように備えられている。さらに、本体部７０ｂには、半導体装置１と他の装置とを電気的に接続するコネクタ群７００も本体部７０ｂから突出するように備えられている。他の装置とは、例えば、後席用モニタ装置７２、車両のメーターパネルに設置されるサブディスプレイ、ダッシュボードに設置されてエアコンディショナーや外気温、オーディオ装置などの車載装置の動作情報を表示するセンターディスプレイ、後方カメラ７６、携帯電話網を利用した車載通信装置などを含む。サブディスプレイ、センターディスプレイ、後席用モニタ装置７２などは、第２表示装置に相当する。
【００５８】
図２１は、半導体モジュール５が搭載される主基板３を模式的に示している。図２１において太い実線の矢印、及び太い破線の矢印は、半導体モジュール５から主基板３の基板端子群（３０１，３０２）への配線の方向を模式的に示している。概ね、これらの矢印に沿うように、主基板３の表層配線層３０ａに表層配線パターン（３１１，３１２）が形成される。
【００５９】
図２１に示すように、主基板３には、車両の前後方向ＦＲにおいて後方Ｒの側に位置する基板第１辺３ａの側、及び、車両の前後方向ＦＲにおいて前方Ｆの側に位置する基板第２辺３ｃの側に、それぞれ端子が設けられている。つまり、主基板３は、前後方向ＦＲに沿って互いに対辺である基板第１辺３ａ及び基板第２辺３ｃの側に端子群を有している。上述したように、ナビゲーションユニット７０がダッシュボードに設置された状態において、ディスプレイ部７０ａは本体部７０ｂに対して、後方Ｒの側に位置するように配置されている。従って、ディスプレイ部７０ａとの間での信号を伝送するためのディスプレイ用コネクタ７０２は、ナビゲーションユニット７０がダッシュボードに設置された状態において後方Ｒの側に位置する基板第１辺３ａの側に配置されている。基板第２辺３ｃの側には、コネクタ群７００（７０３，７０４，７０６等）が配置されている。ディスプレイ用コネクタ７０２は、第１基板端子群３０１に相当し、画像出力信号、ＰＣＩｅやＵＳＢ等の通信インターフェイス信号を前席用モニタ装置７１へ伝達する。半導体モジュール５には、主基板３に実装された状態で、主基板３の基板第１辺３ａの側（ディスプレイ用コネクタ７０２の側）に、前席用モニタ装置７１への画像出力（Ａ１）、ＰＣＩｅやＵＳＢ等の通信インターフェイス（Ａ２，Ａ３）に対応する端子が設けられている。
【００６０】
また、基板第１辺３ａとは異なる辺の側、本形態では対辺である基板第２辺３ｃの側（コネクタ群７００の側）に、メータディスプレイやセンターディスプレイ、後席用モニタ装置７２などへの画像出力（Ｃ１，Ｃ２）、ＬＶＤＳ規格に準拠した通信インターフェイス（Ｃ４）に対応する端子群が設けられている。これらの端子群は、コネクタ（７０３，７０４，７０６）を介して、上述したように、ナビゲーションユニット７０とは別の装置と接続される。コネクタ群７００は、第２基板端子群３０２に相当する。尚、基板第１辺３ａに対して基板第２辺３ｃの側において、基板第３辺３ｂに沿って、携帯電話通信のためのＬＴＥモジュールとのインターフェイス（Ｃ５）に対応する端子群が設けられている。
【００６１】
上述したように、第１モジュール端子群１１及び第２モジュール端子群１２は、画像出力機能を有するモジュール端子群である。第１基板端子群３０１及び第２基板端子群３０２は、画像表示装置に接続される基板端子群である。主基板３は、前席用モニタ装置７１（第１表示装置）を備えたナビゲーションユニット７０（画像表示ユニット）に備えられている。第１基板端子群３０１は、ナビゲーションユニット７０（画像表示ユニット）内において、前席用モニタ装置７１（第１表示装置）と接続されている。第２基板端子群３０２は、ナビゲーションユニット７０（画像表示ユニット）に設けられたコネクタ群７００（外部出力端子）に接続される。第２基板端子群３０２は、ナビゲーションユニット７０（画像表示ユニット）とは独立して設けられた画像表示装置（メータディスプレイ、センターディスプレイ、後席用モニタ装置７２などの第２表示装置）とコネクタ群７００（外部出力端子）を介して接続される。
【００６２】
図２２から図２５は、半導体装置１が搭載されるマルチメディアユニット８０（画像表示ユニット）を示している。このマルチメディアユニット８０は、例えば、車両のシートの下部やトランクルーム（カーゴルーム）の下部に収容される。マルチメディアユニット８０は、ナビゲーション部８１０と、オーディオ部８２０とを備えている。ナビゲーション部８１０には、図２５に示す半導体装置１が収容されている。ナビゲーション部８１０には、図２４に示すように、コネクタ群８００が備えられている。
【００６３】
ナビゲーション部８１０の半導体装置１と、オーディオ部８２０とは、接続コネクタ８０２によって接続される。図２３に示すようにオーディオ部８２０の側の接続コネクタ８０２を符号“８０２ｂ”で示し、図２５に示すように、ナビゲーション部８１０（半導体装置１）の側の接続コネクタ８０２を符号“８０２ａ”で示している。オーディオ部８２０には、図２４に示すように、ディスプレイ用コネクタ８０１ａ（８０１ｂ，８０１ｃも含む）が備えられている。ディスプレイ用コネクタ８０１ａは、前席用モニタ装置７１への画像出力信号を伝達し、コネクタ８０１ｂ及び８０１ｃは、ＰＣＩｅやＵＳＢ等の通信インターフェイス信号を前席用モニタ装置７１へ伝達する。
【００６４】
図２１と同様に、図２５は、半導体モジュール５が搭載される主基板３を模式的に示している。図２５においても、太い実線の矢印、及び太い破線の矢印は、半導体モジュール５から主基板３の基板端子群（３０１，３０２）への配線の方向を模式的に示している。概ね、これらの矢印に沿うように、主基板３の表層配線層３０ａに表層配線パターン（３１１，３１２）が形成される。
【００６５】
図２５に示すように、半導体モジュール５には、主基板３に実装された状態で、主基板３の基板第１辺３ａの側（接続コネクタ８０２の側）に、前席用モニタ装置７１への画像出力（Ａ１）、ＰＣＩｅやＵＳＢ等の通信インターフェイス（Ａ２，Ａ３，Ａ４）に対応する端子が設けられている。本実施形態では、これらの信号は、接続コネクタ８０２を介してオーディオ部８２０に収容された副基板８２１（別基板）に伝達され、副基板８２１に実装されたディスプレイ用コネクタ８０１ａ（及び８０１ｂ，８０１ｃ）を介して、前席用モニタ装置７１へ伝達される。接続コネクタ８０２の内、主基板３におけるコネクタ“８０２ａ”は、第１基板端子群３０１に相当する。
【００６６】
また、基板第１辺３ａとは異なる辺の側、本形態では対辺である基板第２辺３ｃの側（コネクタ群８００の側）に、メータディスプレイやセンターディスプレイなどへの画像出力（Ｃ１，Ｃ２，Ｃ３）、ＬＶＤＳ規格に準拠した通信インターフェイス（Ｃ４）に対応する端子群が設けられている。これらの端子群は、コネクタ（８０３，８０４，８０５，８０６）を介して、マルチメディアユニット８０とは別の装置と接続される。コネクタ群８００は、第２基板端子群３０２に相当する。また、基板第２辺３ｃの側には、主基板３に実装された携帯電話通信のためのＬＴＥモジュールとのインターフェイス（Ｃ５）に対応する端子群も設けられている。
【００６７】
上述したように、第１モジュール端子群１１及び第２モジュール端子群１２は、画像出力機能を有するモジュール端子群である。第１基板端子群３０１及び第２基板端子群３０２は、画像表示装置に接続される基板端子群である。主基板３は、マルチメディアユニット８０（画像表示ユニット）に備えられる。第１基板端子群３０１及び第２基板端子群３０２の何れか一方（上記例では第１基板端子群３０１）は、マルチメディアユニット８０（画像表示ユニット）に設けられたディスプレイ用コネクタ（第１外部出力端子：８０１ａ，８０１ｂ，８０１ｃ）を介して、マルチメディアユニット８０（画像表示ユニット）とは独立して設けられた前席用モニタ装置７１（第１表示装置）と接続される。第１基板端子群３０１及び第２基板端子群３０２の何れか他方（上記例では第２基板端子群３０２）は、マルチメディアユニット８０（画像表示ユニット）に設けられたコネクタ群８００（第２外部出力端子）を介して、マルチメディアユニット８０（画像表示ユニット）及び前席用モニタ装置７１（第１表示装置）の双方と独立して設けられた画像表示装置（メータディスプレイ、センターディスプレイ、後席用モニタ装置７２などの第２表示装置）と接続される。マルチメディアユニット８０（画像表示ユニット）は、主基板３とは別の基板（副基板８２１）を少なくとも１つ備える。第１基板端子群３０１及び第２基板端子群３０２の何れか一方（上記例では第１基板端子群３０１）は、当該別の基板（副基板８２１）を介して画像表示装置（上記例では前席用モニタ装置７１（第１表示装置））に接続される。
【００６８】
尚、図２２から図２５に例示した形態とは異なり、第１基板端子群３０１及び第２基板端子群３０２の何れか一方（第１基板端子群３０１）が、マルチメディアユニット８０（画像表示ユニット）に設けられたコネクタ群８００（第２外部出力端子）を介して、前席用モニタ装置７１（第１表示装置）と接続されてもよい。この場合、第１基板端子群３０１及び第２基板端子群３０２の何れか他方（第２基板端子群３０２）は、マルチメディアユニット８０（画像表示ユニット）に設けられたディスプレイ用コネクタ８０１ａ，８０１ｂ，８０１ｃ（第１外部出力端子）を介して、マルチメディアユニット８０（画像表示ユニット）及び前席用モニタ装置７１（第１表示装置）の双方と独立して設けられた画像表示装置（メータディスプレイ、センターディスプレイ、後席用モニタ装置７２などの第２表示装置）と接続されてもよい。
【００６９】
〔実施形態の概要〕
以下、上記において説明した半導体装置（１）及び半導体モジュール（５）の概要について簡単に説明する。
【００７０】
１つの態様として、半導体装置（１）は、
少なくとも１つの半導体素子（５１）を上面（２１ａ）に支持固定する矩形板状の支持基板（２１）、及び、前記支持基板（２１）の下面（２１ｂ）に沿って平面配置されて前記半導体素子（５１）と電気的に接続される複数の接続端子（１０）を備えた半導体モジュール（５）と、
複数層の配線層（３０ａ，３０ｂ，３０ｃ，３０ｚ）を有し、前記半導体モジュール（５）が複数の前記接続端子（１０）を介して表面実装される主基板（３）と、を備え、
複数の前記接続端子（１０）は、前記支持基板（２１）の各辺に沿って複数列の矩形環状に配列されると共に、画像出力機能及び通信インターフェイス機能の何れか一方の機能を有する端子群である第１モジュール端子群（１１）及び第２モジュール端子群（１２）とを含み、
前記第１モジュール端子群（１１）は、前記支持基板（２１）の１つの辺であるモジュール第１辺（２ａ）の側に配置され、
前記第２モジュール端子群（１２）は、前記モジュール第１辺（２ａ）の対辺であるモジュール第２辺（２ｃ）の側に配置され、
前記主基板（３）は、画像表示装置（７１，７２）及び通信装置（７３，７４）の何れか一方と接続される第１基板端子群（３０１）及び第２基板端子群（３０２）を備え、
前記第１基板端子群（３０１）は、前記主基板（３）の１つの辺である基板第１辺（３ａ）の側に配置され、
前記第２基板端子群（３０２）は、前記基板第１辺（３ａ）の対辺である基板第２辺（３ｃ）の側に配置され、
前記半導体モジュール（５）は、前記モジュール第１辺（２ａ）が前記モジュール第２辺（２ｃ）よりも前記基板第１辺（３ａ）に近い側となり、前記モジュール第２辺（２ｃ）が前記モジュール第１辺（２ａ）よりも前記基板第２辺（３ｃ）に近い側となるように、前記主基板（３）の表層配線層（３０ａ）に表面実装され、
前記第１モジュール端子群（１１）と前記第１基板端子群（３０１）とが、前記表層配線層（３０ａ）に形成された第１表層配線パターン（３１１）により接続されると共に、前記第２モジュール端子群（１２）と前記第２基板端子群（３０２）とが、前記表層配線層（３０ａ）に形成された第２表層配線パターン（３１２）により接続される。
【００７１】
また、１つの態様として、少なくとも１つの半導体素子を上面に支持固定する矩形板状の支持基板、及び、前記支持基板の下面に沿って平面配置されて前記半導体素子と電気的に接続される複数の接続端子を備えた半導体モジュール（５）は、前記接続端子（１０）が、画像出力機能及び通信インターフェイス機能の何れか一方の機能を有する端子群である第１モジュール端子群（１１）及び第２モジュール端子群（１２）と、を含み、前記第１モジュール端子群（１１）が、前記支持基板（２１）の１つの辺であるモジュール第１辺（２ａ）の側に配置され、前記第２モジュール端子群（１２）が、前記モジュール第１辺（２ａ）の対辺であるモジュール第２辺（２ｃ）の側に配置されている。
【００７２】
この構成によれば、半導体モジュール（５）において複数種の画像出力機能を有する端子群（或いは、複数種の通信インターフェイス機能を有する端子群）が、当該半導体モジュール（５）が搭載される主基板（３）において各機能に対応する回路（コネクタ等の端子も含む）が配置される位置に応じて、配置されている。このため、主基板（３）に半導体モジュール（５）を搭載する際に、表層配線層（３０ａ）に形成される配線パターン（第１表層配線パターン（３１１）、第２表層配線パターン（３１２））を用いて結線を行うことができる。その結果、主基板（３）の内層に形成される配線パターンの数を少なく抑えることができるので、主基板（３）の層数が増加することを抑制することができる。尚、半導体モジュール（５）の単体においても、実装先の回路基板を想定した端子配置とすることで、当該回路基板への実装効率を向上させることができる。このように、上記構成によれば、使用環境に適応した入出力端子が配置された半導体モジュールを搭載した半導体装置やそのような半導体モジュールを提供することができる。
【００７３】
また、１つの態様として、前記半導体素子（５１）は、少なくとも１つの半導体ダイがパッケージに封入された半導体チップ（５１ｂ）であり、前記半導体チップ（５１ｂ）は、前記支持基板（２１）と電気的に接続される複数の素子端子を有し、複数の前記素子端子は、画像出力機能及び通信インターフェイス機能の何れか一方の機能を有する端子群である第１素子端子群（ＶＯ１（ＦＴ１））及び第２素子端子群（ＶＯ２（ＦＴ２））とを含み、前記第１素子端子群（ＶＯ１（ＦＴ１））及び前記第２素子端子群（ＶＯ２（ＦＴ２））は、前記パッケージの同一の辺（５０ｂ（５０ｄ））の側に配置され、前記半導体モジュール（５）は、少なくとも前記半導体チップ（５１ｂ）が前記支持基板（２１）に実装され、少なくとも前記第１素子端子群（ＶＯ１（ＦＴ１））が前記第１モジュール端子群（３１（３３））に接続され、前記第２素子端子群（ＶＯ２（ＦＴ２））が前記第２モジュール端子群（３２（３４））に接続されるように、複数の前記素子端子の配置と複数の前記接続端子（１０）の配置とが前記支持基板（２１）において並び替えられているマルチチップモジュール（５Ｍ）であると好適である。
【００７４】
支持基板（２１）上において、半導体チップ（５１Ｍ）の端子配置を入れ替えて適切な端子配置の半導体モジュール（５）を実現することができる。
【００７５】
１つの好適な態様として、前記第１モジュール端子群（１１）及び前記第２モジュール端子群（１２）は、画像出力機能を有するモジュール端子群であり、前記第１基板端子群（３０１）及び前記第２基板端子群（３０２）は、前記画像表示装置に接続される基板端子群であり、前記主基板（３）は、前記画像表示装置としての第１表示装置（７１）を備えた画像表示ユニット（７０）に備えられ、前記第１基板端子群（３０１）は、前記画像表示ユニット（７０）内において、前記第１表示装置（７１）と接続され、前記第２基板端子群（３０２）は、前記画像表示ユニット（７０）に設けられた外部出力端子（７００）に接続され、前記画像表示ユニット（７０）とは独立して設けられた前記画像表示装置である第２表示装置と前記外部出力端子（７００）を介して接続される。
【００７６】
この構成によれば、例えば車両において、ダッシュボードの中央（コンソール）に収容されるようなディスプレイ一体型の画像表示ユニット（７０）を適切に構築することができる。
【００７７】
１つの好適な態様として、前記第１モジュール端子群（１１）及び前記第２モジュール端子群（１２）は、画像出力機能を有するモジュール端子群であり、前記第１基板端子群（３０１）及び前記第２基板端子群（３０２）は、前記画像表示装置に接続される基板端子群であり、前記主基板（３）は、画像表示ユニット（８０）に備えられ、前記第１基板端子群（３０１）及び前記第２基板端子群（３０２）の何れか一方は、前記画像表示ユニット（８０）に設けられた第１外部出力端子（８０１）を介して、前記画像表示ユニット（８０）とは独立して設けられた前記画像表示装置である第１表示装置（７１）と接続され、前記第１基板端子群（３０１）及び前記第２基板端子群（３０２）の何れか他方は、前記画像表示ユニット（８０）に設けられた第２外部出力端子（８００）を介して、前記画像表示ユニット（８０）及び前記第１表示装置（７１）とは独立して設けられた前記画像表示装置である第２表示装置と接続され、前記画像表示ユニット（８０）は、前記主基板（３）とは別の基板（８２１）を少なくとも１つ備え、前記第１基板端子群（３０１）及び前記第２基板端子群（３０２）の何れか一方は、当該別の基板（８２１）を介して前記画像表示装置に接続される。
【００７８】
この構成によれば、例えば車両において、ディスプレイ分離型の画像表示ユニット（８０）を適切に構築することができる。
【００７９】
ここで、前記第１表示装置（７１）は、車両のダッシュボードに設置されるディスプレイであり、前記第２表示装置は、前記車両のメーターパネルに設置されるサブディスプレイ、又は、前記ダッシュボードに設置されて車載装置の動作情報を表示するセンターディスプレイであると好適である。
【００８０】
この構成によれば、例えば車両において、１つの画像表示ユニット（７０，８０）を複数の表示装置に適切に接続して、効率的に画像表示システムを構築することができる。
【００８１】
また、１つの態様として、前記半導体モジュール（５）が、画像出力機能又は通信インターフェイス機能の何れかの機能を有する端子群であって、前記第１モジュール端子群（１１）及び前記第２モジュール端子群（１２）と同じ機能を有する端子群である第３モジュール端子群（１３）を更に備え、前記第３モジュール端子群（１３）が、前記支持基板（２１）における前記第１辺（２ａ）及び前記第２辺（２ｃ）とは異なるモジュール第３辺（２ｄ）の側に配置されていると好適である。
【００８２】
この構成によれば、矩形状の支持基板（２１）の４辺の内の３辺に、同等の機能（類似の機能）を有する端子群が分配して配置されるので、半導体モジュール（５）に接続される周辺機器と、半導体モジュール（５）との配置の自由度が高くなる。また、半導体モジュール（５）と各周辺機器との配線効率も向上する。
【符号の説明】
【００８３】
１        ：半導体装置
２ａ      ：モジュール第１辺
２ｃ      ：モジュール第２辺
２ｂ，２ｄ：モジュール第３辺
３        ：主基板
３ａ      ：基板第１辺
３ｃ      ：基板第２辺
５        ：半導体モジュール
５Ｍ      ：マルチチップモジュール
１０      ：端子（接続端子）
１１      ：第１モジュール端子群
１２      ：第２モジュール端子群
１３      ：第３モジュール端子群
２１      ：支持基板
２１ａ    ：上面
２１ｂ    ：下面
３０ａ    ：表層配線層
３１      ：第１画像出力端子群（第１モジュール端子群）
３２      ：第２画像出力端子群（第２モジュール端子群）
３３      ：第１高速通信インターフェイス端子群（第１モジュール端子群）
３４      ：第２高速通信インターフェイス端子群（第２モジュール端子群）
３５      ：第３高速通信インターフェイス端子群（第３モジュール端子群）
５１      ：半導体素子
７０      ：ナビゲーションユニット（画像表示ユニット）
７１      ：前席用モニタ装置（画像表示装置、第１表示装置）
８０      ：マルチメディアユニット（画像表示ユニット）
３０１    ：第１基板端子群
３０２    ：第２基板端子群
３１１    ：第１表層配線パターン
３１２    ：第２表層配線パターン
８２１    ：副基板
【図１】
2017038904.tif 000003
【図２】
2017038904.tif 000004
【図３】
2017038904.tif 000005
【図４】
2017038904.tif 000006
【図５】
2017038904.tif 000007
【図６】
2017038904.tif 000008
【図７】
2017038904.tif 000009
【図８】
2017038904.tif 000010
【図９】
2017038904.tif 000011
【図１０】
2017038904.tif 000012
【図１１】
2017038904.tif 000013
【図１２】
2017038904.tif 000014
【図１３】
2017038904.tif 000015
【図１４】
2017038904.tif 000016
【図１５】
2017038904.tif 000017
【図１６】
2017038904.tif 000018
【図１７】
2017038904.tif 000019
【図１８】
2017038904.tif 000020
【図１９】
2017038904.tif 000021
【図２０】
2017038904.tif 000022
【図２１】
2017038904.tif 000023
【図２２】
2017038904.tif 000024
【図２３】
2017038904.tif 000025
【図２４】
2017038904.tif 000026
【図２５】
2017038904.tif 000027
【国際調査報告】
2017038904.tif 000028
2017038904.tif 000029
2017038904.tif 000030
2017038904.tif 000031